(57)【特許請求の範囲】
【請求項１】
並列に接続された複数台の圧縮機と１台の室外熱交換器とを備えた複数台の室外ユニットを冷媒回路に対して並列に接続してなるマルチ型空気調和機において、
空調負荷の増加にともなって各室外ユニットの第１の圧縮機を予め定められた順序に従って順次起動し、次いで各室外ユニットの第２の圧縮機を同様に順次起動し、各室外ユニットが第３以上の圧縮機を有する場合も同様に順次起動するとともに空調負荷の減少時は上記と逆の順序で順次停止することを特徴とするマルチ型空気調和機の運転方法。
【発明の詳細な説明】
【０００１】
【発明の属する技術分野】
本発明は複数台の室外ユニットを並列に接続してなるマルチ型空気調和機に関する。
【０００２】
【従来の技術】
従来のこの種マルチ型空気調和機の１例が図３に示されている。
複数台（図には２台のみが示されている）の室外ユニットＡ、Ｂにはそれぞれ複数台（図には２台）の圧縮機１、２、四方切換弁３、室外熱交換器４等が搭載されている。
複数台（図には２台のみが示されている）の室内ユニットＰ、Ｑには室内熱交換器５等が搭載されている。
【０００３】
そして、これら複数台の室外ユニットＡ、Ｂ及び複数台の室内ユニットＰ、Ｑはそれぞれ接続ガス管７及び接続液管８に対して並列に接続されている。
【０００４】
しかして、この空気調和機の冷房運転時、各室外ユニットＡ、Ｂの圧縮機１、２から吐出された高温・高圧のガス冷媒は、実線矢印で示すように、逆止弁９、10、四方切換弁３を経て室外熱交換器４に入り、ここで外気と熱交換することによって凝縮液化する。
【０００５】
この液冷媒は逆止弁11、レシーバ12、液側操作弁13を経て接続液管８に入りここで合流した後、液側操作弁14を経て各室内ユニットＰ、Ｑに流入する。
そして、その冷房用膨張弁15を流過する過程で断熱膨張した後、室内熱交換器５に入り、ここで室内空気を冷却することによって蒸発気化する。
【０００６】
このガス冷媒はガス側操作弁16を経て接続ガス管７に入りここで合流した後、ガス側操作弁17を経て各室外ユニットＡ、Ｂに流入し、四方切換弁３、アキュムレータ18を経て圧縮機１、２に吸い込まれる。
【０００７】
空気調和機の暖房運転時には、四方切換弁３が上記と逆に切り換えられるので、圧縮機１、２から吐出された冷媒は、破線矢印で示すように、逆止弁９、10、四方切換弁３、ガス側操作弁17、接続ガス管７、ガス側操作弁16を経て各室内ユニットＰ、Ｑの室内熱交換器５に入り、ここで室内空気に放熱することによって凝縮液化する。
【０００８】
この液冷媒は逆止弁18、液側操作弁14、接続液管８、液側操作弁13を経て各室外ユニットＡ、Ｂに入り、そのレシーバ12を経て暖房用膨張弁19を流過する過程で断熱膨張した後、室外熱交換器４に入り、ここで外気から吸熱することによって蒸発気化する。
次いで、このガス冷媒は四方切換弁３、アキュムレータ18を経て圧縮機１、２に吸い込まれる。
【０００９】
室内ユニットＰ、Ｑの運転台数の増大等によって空調負荷が次第に増加するのに伴って先ず室外ユニットＡの複数の圧縮機１、２が同時に起動し、次いで、室外ユニットＢの複数の圧縮機１、２が起動し、以後、図示しない第３の室外ユニット、第４の室外ユニット等の圧縮機１、２が順次起動され、空調負荷の減少時は上記と逆の順序で順次停止する。
【００１０】
【発明が解決しようとする課題】
従来のマルチ型空気調和機においては、暖房負荷が小さく１台の室外ユニット、例えば、Ａのみが運転中その圧縮機１、２から吐出された冷媒がその１台の室外熱交換器４で蒸発するので、室外熱交換器４に霜が付着し易く、また、冷房運転中は室外ユニットＡの冷媒回路内の高圧が高くなるのでＣＯＰ（動力効率）が悪化するという問題があった。
【００１１】
【課題を解決するための手段】
本発明は上記課題を解決するために発明されたものであって、その要旨とするところは、並列に接続された複数台の圧縮機と１台の室外熱交換器とを備えた複数台の室外ユニットを冷媒回路に対して並列に接続してなるマルチ型空気調和機において、空調負荷の増加にともなって各室外ユニットの第１の圧縮機を予め定められた順序に従って順次起動し、次いで各室外ユニットの第２の圧縮機を同様に順次起動し、各室外ユニットが第３以上の圧縮機を有する場合も同様に順次起動するとともに空調負荷の減少時は上記と逆の順序で順次停止することを特徴とするマルチ型空気調和機の運転方法にある。
【００１２】
【発明の実施の形態】
本発明の第１の実施形態を示すタイムチャートが図１に示されている。
なお、冷媒回路は図３に示す従来のものと同様である。
【００１３】
空気負荷が増加する場合には室外ユニットＡの第１の圧縮機A1を運転し、次いで、室外ユニットＢの第１の圧縮機B1を運転し、次いで、室外ユニットＡの第２の圧縮機A2を運転し、次いで、室外ユニットＢの第２の圧縮機B2を起動する。
空調負荷が減少する場合には、上記と逆の順序、即ち、各圧縮機はB2、A2、B1、A1の順に停止する。
【００１４】
各室外ユニットＡ、Ｂが第３の圧縮機A3、B3を有する場合には各圧縮機はA1、B1、A2、B2、A3、B3の順に起動し、B3、A3、B2、A2、B1、A1の順に停止する。
各室外ユニットＡ、Ｂが第４以上の圧縮機を有する場合も同様である。
【００１５】
３台の室外ユニット、Ａ、Ｂ、Ｃが各２台の圧縮機を搭載している場合には、図２に示すように、空調負荷が増加する場合、各圧縮機はA1、B1、C1、A2、B2、C2の順に起動し、空調負荷が減少する場合には各圧縮機はC2、B2、A2、C1、B1、A1の順に停止する。
なお、各室外ユニットの第１の圧縮機の起動順序は予め定めて置けば、B1、A1、C1の順であっても。C1、A1、B1の順であっても良い。
【００１６】
しかして、空調負荷が小さいときは、室外ユニットに搭載された複数台の圧縮機の中の１部のみが運転されるので、この一部の圧縮機に吸入され又はこれから吐出される冷媒が運転中の圧縮機が搭載された室外ユニットの１台の室外熱交換器４を流過する。
従って、この室外熱交換器４の能力に余裕が生じるので、暖房運転時はこの室外熱交換器４への着霜を抑制でき、冷房運転時はこの室外ユニットの冷媒回路内の高圧が上昇するのを抑制してＣＯＰを向上しうる。
【００１７】
【発明の効果】
本発明においては、空調負荷の増加にともなって各室外ユニットの第１の圧縮機を予め定められた順序に従って順次起動し、次いで各室外ユニットのおける第２の圧縮機を同様に順次起動し、各室外ユニットが第３以上の圧縮機を有する場合も同様に順次起動するとともに空調負荷の減少時は上記と逆の順序で順次停止するため、空調負荷が小さいときは、室外ユニットに搭載された複数台の圧縮機の中の１部のみが運転されるので、この一部の圧縮機に吸入され又はこれから吐出される冷媒が運転中の圧縮機が搭載された室外ユニットの１台の室外熱交換器を流過する。
従って、この室外熱交換器の能力に余裕が生じるので、暖房運転時はこの室外熱交換器への着霜を抑制でき、冷房運転時はこの室外ユニットの冷媒回路内の高圧が上昇するのを抑制してＣＯＰを向上しうる。
【図面の簡単な説明】
【図１】本発明の第１の実施形態を示すタイムチャートである。
【図２】本発明の他の実施形態を示す説明図である。
【図３】従来のマルチ型空気調和機の系統図である。
【符号の説明】
Ａ、Ｂ  室外ユニット
A1、B1  第１の圧縮機
A2、B2  第２の圧縮機
４  室外熱交換器
７、８  冷媒回路
【図１】
0003712492.tif 000002
【図２】
0003712492.tif 000003
【図３】
0003712492.tif 000004